(57)【特許請求の範囲】
【請求項１】
金属板による箱体の外周面が耐火ボードによって覆われると共に、一つの面が開口面となった六面体形状を備えており、外壁に開口形成された取付け開口に前記開口面を沿わせつつ、外壁に嵌め込むようにして取り付けられる給湯器用耐火箱の壁下地面との間の簡易防水構造であって、
前記開口面の周縁部分の金属板は、前記耐火ボードの端面を覆って外側に垂直に折れ曲がって延設した後、さらに垂直にＬ字形状に折れ曲って、その先端が前記耐火ボードの外周面に対向配置されるように曲折加工されており、
帯状に形成した可撓性を有する合成樹脂製の防水シートを、一方の側縁部側の部分を前記開口面の周縁部分の曲折加工された金属板の先端と前記耐火ボードの外周面との間に挟み込むと共に、他方の側縁部側の部分を前記壁下地面を覆って敷設された壁面防止シートの縁部に接合することにより、前記給湯器用耐火箱の外周面と前記壁下地面の開口縁部との間の隙間を介した水の浸入を防止する給湯器用耐火箱の簡易防水構造。
【請求項２】
前記防水シートの一方の側縁部側の部分は、コーキング材を用いて前記金属板の先端と前記耐火ボードの外周面との間に挟み込また状態で固着される請求項１に記載の給湯器用耐火箱の簡易防水構造。
【請求項３】
前記防水シートは、折曲り線を介して幅方向に略垂直に２つ折り可能に構成されており、前記折曲り線を挟んだ一方の側縁部側の部分が前記金属板の先端と前記耐火ボードの外周面との間に挟み込まれると共に、他方の側縁部側の部分が前記壁面防止シートの縁部に接合される請求項１又は２に記載の給湯器用耐火箱の簡易防水構造。
【発明の詳細な説明】
【技術分野】
【０００１】
本発明は、給湯器用耐火箱の簡易防水構造に関し、特に、金属板による箱体の外周面が耐火ボードによって覆われると共に、一つの面が開口面となった六面体形状を備えており、外壁に開口形成された取付け開口に開口面を沿わせつつ、外壁に嵌め込むようにして取り付けられる給湯器用耐火箱の簡易防水構造に関する。
【背景技術】
【０００２】
例えばアパートやマンション等の共同住宅においては、給湯器やこれに付属するガスメータ等が、通路に面した屋外に取付けられる場合が多いが、これらの給湯器等は、通路の通行の邪魔となることのないように、外壁の内部に埋め込まれるようにして設置されるのが一般的である。また、給湯器を外壁の内部に設置する場合、図３に示すように、外壁３０に設けた開口穴３１に、金属板による箱体の外周面を耐火ボードによって覆うことにより形成した六面体形状の耐火箱３２を、その開口面３２ａを外壁３０の開口穴３１に沿わせるようにして嵌め込んだ後に、この耐火箱３２の内側に給湯器３３をセットし、開口面３２ａに開閉扉３４を取り付ける方法が採用される（例えば、特許文献１参照）。
【０００３】
また、給湯器をセットするための給湯器用の耐火箱は、一般に例えば屋外通路に面した軒下部分に設けられるものであることから、外壁に取り付けられた際の防水性についてはあまり考慮されていないのが現状であり、例えば外壁の仕上面に形成された開口穴の開口周縁部と、耐火箱の外周面との間の隙間にバックアップ材を設置したり、コーキング材を埋め込む方法によって、防水性を担保するようになっている。
【特許文献１】特開平５−９９５１１号公報
【発明の開示】
【発明が解決しようとする課題】
【０００４】
一方、近年、例えばフリー設計のアパートが建築されるようになってきており、軒の出の少ない部分の外壁に給湯器用の耐火箱が設置される場合がある。このような場合、外壁の仕上面の隙間にコーキング材を埋め込むだけでは十分な防水性を確保することができず、漏水のリスクも高くなることから、外壁に嵌め込まれる給湯器用耐火箱の周囲の防水性を高めるための、簡易な防水構造の開発が望まれている。
【０００５】
本発明は、このような技術的課題に着目してなされたものであり、従来から用いられている耐火箱に特別の改良を加えることなく、簡易な構成によって、外壁に嵌め込まれる給湯器用耐火箱の周囲の防水性を容易に向上させることのできる給湯器用耐火箱の簡易防水構造を提供することを目的とする。
【課題を解決するための手段】
【０００６】
本発明は、金属板による箱体の外周面が耐火ボードによって覆われると共に、一つの面が開口面となった六面体形状を備えており、外壁に開口形成された取付け開口に前記開口面を沿わせつつ、外壁に嵌め込むようにして取り付けられる給湯器用耐火箱の壁下地面との間の簡易防水構造であって、前記開口面の周縁部分の金属板は、前記耐火ボードの端面を覆って外側に垂直に折れ曲がって延設した後、さらに垂直にＬ字形状に折れ曲って、その先端が前記耐火ボードの外周面に対向配置されるように曲折加工されており、帯状に形成した可撓性を有する合成樹脂製の防水シートを、一方の側縁部側の部分を前記開口面の周縁部分の曲折加工された金属板の先端と前記耐火ボードの外周面との間に挟み込むと共に、他方の側縁部側の部分を前記壁下地面を覆って敷設された壁面防止シートの縁部に接合することにより、前記給湯器用耐火箱の外周面と前記壁下地面の開口縁部との間の隙間を介した水の浸入を防止する給湯器用耐火箱の簡易防水構造を提供することにより、上記目的を達成したものである。
【０００７】
また、本発明の給湯器用耐火箱の簡易防水構造では、前記防水シートの一方の側縁部側の部分は、コーキング材を用いて前記金属板の先端と前記耐火ボードの外周面との間に挟み込また状態で固着されるようになっていることが好ましい。
【０００８】
さらに、本発明の給湯器用耐火箱の簡易防水構造では、前記防水シートは、折曲り線を介して幅方向に略垂直に２つ折り可能に構成されており、前記折曲り線を挟んだ一方の側縁部側の部分が前記金属板の先端と前記耐火ボードの外周面との間に挟み込まれると共に、他方の側縁部側の部分が前記壁面防止シートの縁部に接合されるようになっていることが好ましい。
【発明の効果】
【０００９】
本発明の給湯器用耐火箱の簡易防水構造によれば、従来から用いられている耐火箱に特別の改良を加えることなく、簡易な構成によって、外壁に嵌め込まれる給湯器用耐火箱の周囲の防水性を容易に向上させることができる。
【発明を実施するための最良の形態】
【００１０】
図１（ａ），（ｂ）に示す本発明の好ましい一実施形態に係る給湯器用耐火箱の簡易防水構造は、例えばアパート等の共同住宅において、給湯器を軒の出の少ない部分の外壁１１の内部に埋め込むようにして設置する際に（図３参照）、給湯器が収納される給湯器用耐火箱１０の周囲の防水性を十分に確保できるようにするために採用されたものである。すなわち、従来の技術によれば、例えば共同住宅に設けられる給湯器用耐火箱は、屋外通路等の軒下部分の外壁に設けられることを前提としており、給湯器のメーカ側では、給湯器用耐火箱の周囲の防水性についてはあまり配慮していなかった現状に鑑み、本実施形態の簡易防水構造は、給湯器用耐火箱１０を例えば軒の出の少ない部分の外壁に設けて漏水のリスクが高くなる場合に、建築業者側の工夫により、従来から用いられている耐火箱に特別の改良を加えることなく、簡易な構成によって、給湯器用耐火箱１０の周囲の防水性を向上させることができるようにするために採用されたものである。
【００１１】
そして、本実施形態の給湯器用耐火箱の簡易防水構造は、金属板１２による箱体１３の外周面が耐火ボード１４によって覆われると共に、一つの面が開口面１０ａとなった六面体形状を備えており、外壁１１に開口形成された取付け開口１１ａに開口面１０ａを沿わせつつ、外壁１１に嵌め込むようにして取り付けられる給湯器用耐火箱１０と、壁下地面１５との間の簡易な防水構造である。本実施形態の簡易防水構造では、給湯器用耐火箱１０の開口面１０ａの周縁部分の金属板１２は、耐火ボード１４の端面１４ａを覆って外側に端面部１２ａとして垂直（略垂直も含む）に折れ曲がって延設した後、さらに垂直（略垂直も含む）に折り返し部１２ｂとしてＬ字形状に折れ曲って、その先端１２ｃが耐火ボード１４の外周面に対向配置されるように曲折加工されており、帯状に形成した可撓性を有する合成樹脂製の防水シート１６を、一方の側縁部側の部分１６ａを開口面１０ａの周縁部分の曲折加工された金属板１２の先端１２ｃと耐火ボード１４の外周面との間に挟み込むと共に、他方の側縁部側の部分１６ｂを壁下地面１５を覆って敷設された壁面防水シート１７の縁部１７ａに接合することにより、給湯器用耐火箱１０の外周面と壁下地面１５の開口縁部との間の隙間１８を介した水の浸入を防止するようになっている。
【００１２】
本実施形態では、給湯器用耐火箱（給湯器ＢＯＸ）１０は、図２（ａ）〜（ｃ）にも示すように、正面が開口面１０ａとなった、例えば高さが８００程度、幅が４００ｍｍ程度、奥行が２５０ｍｍ程度の大きさの、縦長の中空六面体形状を備えている。給湯器用耐火箱１０には、外壁１１に設置された後に、給湯器（図示せず）が収納されて各種の配管と接続されると共に、正面の開口面１０を開閉する開閉扉１９が取り付けられる。また、給湯器用耐火箱１０は、開口面１０ａを除いた箱体１３の５面を構成する金属板１２の外周面が、例えば厚さが１２ｍｍ程度の石膏ボードからなる耐火ボード１４によって覆われており、これによって耐火性能を発揮する。さらに、給湯器用耐火箱１０は、上述のように、開口面１０ａの周縁部分の金属板１２は、耐火ボード１４の端面１４ａを覆って外側に端面部１２ａとして垂直に折れ曲がって延設した後、さらに垂直に折り返し部１２ｂとしてＬ字形状に折れ曲って、その先端１２ｃが耐火ボード１４の外周面に対向配置されるように曲折加工されている。
【００１３】
そして、本実施形態では、給湯器用耐火箱１０は、開口面１０ａの周縁部分の曲折加工された金属板１２の先端１２ｃと、耐火ボード１４の外周面との間に、防水シート１６の一方の側縁部側の部分１６ａを挟みこむことにより、防水シート１６を給湯器用耐火箱１０の耐火ボード１４による外周面に沿わせながら全周にわたって配置した状態で、外壁１１の壁下地面１５に形成した下地開口２０に嵌め込むことにより、開口面１０ａを取付け開口１１ａに配設しつつ、外壁１１に取り付けられる。
【００１４】
ここで、防水シート１６は、例えば厚さが０．３ｍｍ程度のポリエチレンシートからなり、例えば幅が６０ｍｍ程度の帯状に形成されている。防水シート１６は、給湯器メーカにおける給湯器用耐火箱１０の製造時に、耐火ボード１４の外周面に予め挟み込んだ状態で、給湯器用耐火箱１０を施工現場に搬入することができる他、給湯器用耐火箱１０の搬入後に、施工現場において耐火ボード１４の外周面に防水シート１６を挟み込んでも良い。
【００１５】
また、防水シート１６は、開口面１０ａの周縁部分の曲折加工された金属板１２の先端１２ｃと耐火ボード１４の外周面との間に隙間が極僅かしかない場合には、これらの間に防水シート１６の一方の側縁部側の部分１６ａを差し込むだけで、防水シート１６の一方の側縁部側の部分１６ａを固定することが可能である。一方、金属板１２の先端１２ｃと耐火ボード１４の外周面との間に相当の隙間がある場合には、コーキング材２１を用いて、防水シート１６の一方の側縁部側の部分１６ａを、これらの間に挟み込んだ状態で固着しておくことが好ましい。
【００１６】
さらに、防水シート１６は、折曲り線２２を介して幅方向に略垂直に２つ折り可能に構成されていることが好ましく、略垂直に折り曲げた状態で、折曲り線２２を挟んだ一方の側縁部側の部分１６ａを金属板１２の先端１２ｃと耐火ボード１４の外周面との間に挟み込むと共に、他方の側縁部側の部分１６ｂを壁面防水シート１７に接合することが好ましい。防水シート１６は、耐火箱１０を外壁１１の壁下地面１５に形成した下地開口２０に嵌め込む際に、他方の側縁部側の部分１６ｂを略垂直に折り曲げた状態として、給湯器用耐火箱１０を下地開口２０に挿入することにより、他方の側縁部側の部分１６ｂを壁下地面１５を覆って敷設された壁面防水シート１７の縁部１７ａに接合する作業を、よりスムーズに行うことが可能になる。
【００１７】
ここで、本実施形態では、給湯器用耐火箱１０が嵌め込まれる下地開口２０は、開口枠２３によって周囲を囲まれた状態で形成されており、開口枠２３の表裏の面に、例えば合板が取り付けられて、壁下地面１５が形成されている。また屋外側の壁下地面１５を覆って、壁面防水シート１７が敷設されると共に、壁面防水シート１７の外側に当該壁面防水シート１７を押え付けるようにして、胴縁２４が取り付けられている。さらに、胴縁２４の屋外側には、サイディング２５が取り付けられており、サイディング２５は、取付け開口１１ａが開口形成された外壁１１の仕上面を形成している。
【００１８】
そして、本実施形態では、下地開口２０に周囲において、例えば浮いた状態となっている壁面防水シート１７の縁部１７ａに、防水シート１６の他方の側縁部側の部分１６ｂを接合することにより、簡易防水構造が設けられることになる。すなわち、略垂直に折れ曲った防水シート１６の他方の側縁部側の部分１６ｂに、壁面防水シート１７の縁部１７ａを屋外側から重ね合わせた状態で、壁下地面１５の開口周縁部分を押圧基台として屋外側から押圧することにより、例えば接着剤や両面接着テープ等を介在させて、壁面防水シート１７の縁部１７ａと防水シート１６の他方の側縁部側の部分１６ｂとが強固に接合一体化され、これによって優れた防水機能を発揮することになる。
【００１９】
なお、本実施形態では、従来のものと同様に、外壁１１の仕上面に形成された取付け開口１１ａの開口周縁部と、開口面１０ａの周縁部分の金属板１２の折り返し部１２ｂとの間の隙間に、好ましくは、ハット型ジョイナー２６によって裏面側から支持させた状態で、バックアップ材やコーキング材２７が充填されて、これらの間の隙間から外壁１１の内部に水が浸入するのを防止している。
【００２０】
そして、上述の構成を備える本実施形態の簡易防水構造によれば、従来から用いられている耐火箱に特別の改良を加えることなく、簡易な構成によって、外壁１１に嵌め込まれる給湯器用耐火箱１０の周囲の防水性を容易に向上させることができる。すなわち、本実施形態によれば、帯状に形成した可撓性を有する合成樹脂製の防水シート１６を、一方の側縁部側の部分１６ａを開口面１０ａの周縁部分の曲折加工された金属板１２の先端１２ｃと耐火ボード１４の外周面との間に挟み込むと共に、他方の側縁部側の部分１６ｂを壁下地面１５を覆って敷設された壁面防水シート１７の縁部１７ａに接合することにより、給湯器用耐火箱１０の外周面と壁下地面１５の開口縁部との間の隙間１８を介した水の浸入を防止するようになっているので、例えば給湯器のメーカー側で給湯器用耐火箱１０の外周部分に防水施工用のつば部等を設けるといった手間のかかる作業を要することなく、例えば建築業者側の作業によって、外壁１１に嵌め込まれる給湯器用耐火箱１０の周囲の防水性を容易に向上させることが可能になる。
【００２１】
なお、本発明は上記実施形態に限定されることなく種々の変更が可能である。例えば、本発明の給湯器用耐火箱の簡易防水構造は、共同住宅の外壁や軒の出の少ない部分に設けられる給湯器用耐火箱に限定されることなく、漏水のリスクのあるその他の種々の壁部分に取り付けられる給湯器用耐火箱の簡易防水構造として採用することができる。
【図面の簡単な説明】
【００２２】
【図１】（ａ）は、本実施形態の好ましい一実施形態に係る給湯器用耐火箱の簡易防水構造の要部を示す略示断面図、（ｂ）は、（ａ）のＡ部拡大図である。
【図２】（ａ）は、給湯器用耐火箱の正面図、（ｂ）は、給湯器用耐火箱の縦断面図、（ｃ）は、給湯器用耐火箱の左半分を横断面図として示す上面図である。
【図３】従来の給湯器用耐火箱の外壁への取り付け状態を説明する略示斜視図である。
【符号の説明】
【００２３】
１０  給湯器用耐火箱
１０ａ  開口面
１１  外壁
１１ａ  取付け開口
１２  金属板
１２ａ  端面部
１２ｂ  折り返し部
１２ｃ  先端
１３  箱体
１４  耐火ボード
１４ａ  耐火ボードの端面
１５  壁下地面
１６  防水シート
１６ａ  一方の側縁部側の部分
１６ｂ  他方の側縁部側の部分
１７  壁面防水シート
１７ａ  壁面防水シートの縁部
１８  給湯器用耐火箱の外周面と壁下地面の開口縁部との間の隙間
１９  開閉蓋
２０  下地開口
２１  コーキング材
２２  折曲り線
【図１】
0005008511.tif 000002
【図２】
0005008511.tif 000003
【図３】
0005008511.tif 000004